(57)【要約】【課題】  ガス設備のない場所での給湯サービスを可能とするために、設置する場所までの持ち運びが簡便で、かつ、設置後には即座に給湯サービスを可能にする。【解決手段】  可燃性ガスが充填されたガスボンベ（１０）と、該ガスボンベ（１０）を内包するボンベ保護ケース（２０）と、前記ガスボンベ（１０）から可燃性ガスの供給を受け、該可燃性ガスを燃焼させて湯を沸かすガス給湯器（３０）と、該ガス給湯器（３０）と前記ガスボンベ（１０）とを接続するガス供給管（４０）と、前記ガス給湯器（３０）に給水するための給水管（５０）と、前記ガス給湯器（３０）から給湯するための給湯管（６０）と、を備えたガス給湯装置（１）であって、前記ガス給湯器（３０）は前記ボンベ保護ケース（２０）の側壁（２２）に取着され、前記ガスボンベ（１０）及び前記ボンベ保護ケース（２０）を一体として移動可能にする。【選択図】    図１
2005326049.tif 000002
【特許請求の範囲】
【請求項１】
可燃性ガスが充填されたガスボンベ（１０）と、該ガスボンベ（１０）を内包するボンベ保護ケース（２０）と、前記ガスボンベ（１０）から可燃性ガスの供給を受け、該可燃性ガスを燃焼させて湯を沸かすガス給湯器（３０）と、該ガス給湯器（３０）と前記ガスボンベ（１０）とを接続するガス供給管（４０）と、前記ガス給湯器（３０）に給水するための給水管（５０）と、前記ガス給湯器（３０）から給湯するための給湯管（６０）と、を備えたガス給湯装置（１）であって、
前記ガス給湯器（３０）は前記ボンベ保護ケース（２０）の側壁（２２）に取着され、前記ガスボンベ（１０）及び前記ボンベ保護ケース（２０）を一体として移動可能にした、
ことを特徴とするガス給湯装置。
【請求項２】
前記ガス給湯器（３０）の背面には前記ガス供給管（４０）が接続されるガス供給口（３１）が設けられ、かつ、ボンベ保護ケース（２０）の側壁（２２）には前記ガス給湯器（３０）がボンベ保護ケース（２０）に取着されたときに前記ガス供給口（３１）が対応する部位に挿通孔（２４）が形成されており、
前記ガス供給管（４０）は前記挿通孔（２４）を通してガス供給口（３１）とガスボンベ（１０）とを接続する、
ことを特徴とする請求項１のガス給湯装置。
【請求項３】
前記ガス給湯器（３０）の下面には前記ガス供給管（４０）が接続されるガス供給口（３１）が設けられ、
前記ガス供給管（４０）はボンベ保護ケース（２０）の外側において前記ガス供給口（３１）に接続され、
前記ガス給湯器（３０）の下方に、前記ガス供給口（３１）及びガス供給管（４０）を覆って保護する保護カバー（７０）を設けた、
ことを特徴とする請求項１のガス給湯装置。
【請求項４】
前記ボンベ保護ケース（２０）のガス給湯器（３０）側の側壁（２２、２３）を多重構造とした、
ことを特徴とする請求項１乃至請求項３のガス給湯装置。
【請求項５】
前記ガス給湯器（３０）に水を供給する給水口（３２）及び前記ガス給湯器から湯を供給する給湯口（３３）にフレキシブル管（４０、５０）を接続した、
ことを特徴とする請求項１乃至請求項４のガス給湯装置。
【発明の詳細な説明】
【技術分野】
【０００１】
本発明はガス給湯装置に関し、より詳細には持ち運びが容易なポータブル型のガス給湯装置に関する。
【背景技術】
【０００２】
給湯器には、電気タイプ、ガスタイプなどがあり、近年、電化住宅の普及に伴い、電気給湯器の需要が増大している。また、電化住宅でなくても、安全、かつ、ランニングコストの観点から電気給湯器を購入する需要者が増え、ガス給湯器から電気給湯器への取り替え需要が増加している。
【０００３】
ところで、電気給湯器は貯水タンクを設置するためガス給湯器に比較して大きく、その設置にはコンクリートなどの基礎工事が必要である。そのため、設置のための施工から使用可能になるまで２〜３日かかる場合がある。
【０００４】
そして、ガス給湯器から電気給湯器に取り替える場合、それまで使用していたガス給湯器があった場所に電気温水器を設置するのが既設の配管設備を利用しやすいという点で好ましく、ガス給湯器を取り外してから電気給湯器を設置することになる。そのため、取り替え期間中の２〜３日の間、給湯器を使用できないこととなり、ユーザーに不便を強いることになっていた。
【０００５】
特に、ガス給湯器の故障を機会に給湯器を電気給湯器に取り替えようとする場合は、設置場所をどこにするかに関わりなく、電気給湯器が設置されるまでの間（２〜３日間）給湯器がまったく使用できない期間が生じてしまう。
【０００６】
ところで、持ち運びが可能なガス給湯器が、以下に示す特許文献１に示されている。
【特許文献１】特開２０００−３２５４２２号
【発明の開示】
【発明が解決しようとする課題】
【０００７】
しかしながら、前記公報に記載された持ち運び可能なガス給湯器は、ガス給湯機器とガスボンベとが別々であるため、ガス給湯機器及びガスボンベをそれぞれ持ち運ばなければならず、持ち運びが簡便でないという問題があった。
【０００８】
また、ガス給湯機器及びガスボンベを使用する場所において、接続ホースなどにより接続しなければならず、その手間も面倒であるという問題があった。
【０００９】
本発明は、かかる問題点を解決するために創案されたものである。すなわち、本発明の目的は、ガス設備のない場所での給湯サービスを可能とするために、設置する場所までの持ち運びが簡便で、かつ、設置後には即座に給湯サービスを可能にすることができるガス給湯装置を提供することにある。なお、電気給湯器への取り替えを行う場合には、その取り替え期間中の給湯サービスを途絶えることなく行うことが可能である。
【課題を解決するための手段】
【００１０】
上記課題を解決するため、請求項１の発明は、可燃性ガスが充填されたガスボンベ（１０）と、該ガスボンベ（１０）を内包するボンベ保護ケース（２０）と、前記ガスボンベ（１０）から可燃性ガスの供給を受け、該可燃性ガスを燃焼させて湯を沸かすガス給湯器（３０）と、該ガス給湯器（３０）と前記ガスボンベ（１０）とを接続するガス供給管（４０）と、前記ガス給湯器（３０）に給水するための給水管（５０）と、前記ガス給湯器（３０）から給湯するための給湯管（６０）と、を備えたガス給湯装置（１）であって、前記ガス給湯器（３０）は前記ボンベ保護ケース（２０）の側壁（２２）に取着され、前記ガスボンベ（１０）及び前記ボンベ保護ケース（２０）を一体として移動可能にした、ことを特徴とする。
【００１１】
請求項２の発明は、前記ガス給湯器（３０）の背面には前記ガス供給管（４０）が接続されるガス供給口（３１）が設けられ、かつ、ボンベ保護ケース（２０）の側壁（２２）には前記ガス給湯器（３０）がボンベ保護ケース（２０）に取着されたときに前記ガス供給口（３１）が対応する部位に挿通孔（２４）が形成されており、前記ガス供給管（４０）は前記挿通孔（２４）を通してガス供給口（３１）とガスボンベ（１０）とを接続する、ことを特徴とする。
【００１２】
請求項３の発明は、前記ガス給湯器（３０）の下面には前記ガス供給管（４０）が接続されるガス供給口（３１）が設けられ、前記ガス供給管（４０）はボンベ保護ケース（２０）の外側において前記ガス供給口（３１）に接続され、前記ガス給湯器（３０）の下方に、前記ガス供給口（３１）及びガス供給管（４０）を覆って保護する保護カバー（７０）を設けた、ことを特徴とする。
【００１３】
請求項４の発明は、前記ボンベ保護ケース（２０）のガス給湯器（３０）側の側壁（２２、２３）を多重構造とした、ことを特徴とする。
【００１４】
請求項５の発明は、前記ガス給湯器（３０）に水を供給する給水口（３２）及び前記ガス給湯器から湯を供給する給湯口（３３）にフレキシブル管（４０、５０）を接続した、ことを特徴とする。
【発明の効果】
【００１５】
請求項１の発明によれば、前記ガス給湯器（３０）は前記ボンベ保護ケース（２０）の側壁（２２）に取着され、前記ガスボンベ（１０）及び前記ボンベ保護ケース（２０）を一体として移動可能にしたので、持ち運びが容易で、ガス管等のガス設備がない場所においても、給水さえできれば、給湯サービスを提供することができる。たとえば、ユーザー宅において据付型のガス給湯器を交換するとき等、その交換時においても、給湯サービスを途絶えることなく提供することができる。
【００１６】
請求項２の発明によれば、前記ガス給湯器（３０）の背面において、前記ガス供給管（４０）によりガス供給口（３１）とガスボンベ（１０）とを接続するようにしたので、ガス供給管が保護ケースの外に露出しないため、持ち運び等に何かにぶつかって損傷するという事故を防止することができる。
【００１７】
請求項３の発明によれば、ガス給湯器（３０）の下方に、前記ガス供給口（３１）及びガス供給管（４０）を覆って保護する保護カバー（７０）を設けたので、ガス給湯器の下部にガス供給口が設けられたものが一般的なガス給湯器を流用することができるので、背面にガス供給口がある専用品を製作することなく、ガス供給管が外部に露出しないポータブルガス給湯器を提供することができる。
【００１８】
請求項４の発明によれば、前記ボンベ保護ケース（２０）のガス給湯器（３０）側の側壁（２２、２３）を少なくとも二重構造としたので、ガス給湯器から燃焼による熱をボンベに伝えにくくすることができ、安全性の向上を図ることができる。
【００１９】
請求項５の発明によれば、前記ガス給湯器（３０）に水を供給する給水口（３２）及び前記ガス給湯器から湯を供給する給湯口（３３）にフレキシブル管（４０、５０）を接続したので、既設の配管との接続が容易となり、施工を簡単かつ迅速にすることができる。
【発明を実施するための最良の形態】
【００２０】
持ち運びの簡便化及び設置までの迅速化という目的を、ガスボンベを保護ケースで覆い、保護ケースにガス給湯器を取着することで実現した。
【実施例１】
【００２１】
以下、本発明の好ましい実施例１を図１乃至図４を参照して説明する。本発明の実施例１は、ガス給湯器の背面にガス供給口が設けられたものに適用したものである。
【００２２】
図１はガス給湯器をボンベ保護ケースに取り付ける前の状態を示す概略斜視図、図２はガス給湯装置の概略正面図、図３はガス給湯装置の概略側面図、図４はガス給湯装置の概略平面図である。
【００２３】
実施例１に係るガス給湯装置１は、可燃性ガス、たとえば、プロパンガスが充填されたガスボンベ１０と、ガスボンベ１０を内包するボンベ保護ケース２０と、ガスボンベ１０から可燃性ガスの供給を受け、可燃性ガスを燃焼させて湯を沸かすガス給湯器３０と、ガス給湯器３０とガスボンベ１０とを接続するガス供給管４０と、ガス給湯器３０に給水するための給水管５０と、ガス給湯器５０から給湯するための給湯管４０とを有する。
【００２４】
ガスボンベ１０は既存のものを使用することができるが、持ち運びを簡便にする観点から２ｋｇ、５ｋｇ、１０ｋｇなど比較的少量のプロパンガスが充填されるタイプのものを使用することが好ましい。なお、ガスボンベ１０の容量は、ガス給湯装置１が使用される期間、予想される使用量などを勘案して決定する。
【００２５】
保護ケース２０は、ガスボンベ１０を収納するのに十分な空間を有する直方体を呈しており、その底面に載置されたガスボンベ１０を完全に覆うようになっている。なお、この保護ケース２０でガスボンベ１０を完全に覆うようにしたが、本発明はこれに限らず、フレーム状のもの或いは一面のみ取付壁となっているものであっても良い。
【００２６】
保護ケース２０の一の側壁は開閉自在になるように扉体２１となっており、他の別の側壁はガス給湯器３０が取着される取着壁２２となっている。
【００２７】
扉体２１はガスボンベ１０を側方から見た平面形状の大きさよりも大きく形成されていて、扉体２１を開放することにより、保護ケース２０に対してガスボンベ１０を出し入れするのに十分な開口が形成される。なお、保護ケース２０内にガスボンベ１０を収納するための扉体２１はヒンジにより回動するものであっても良いし、あるいはスライド式で左右方向、又は上下方向に扉体が移動するようになっているものであっても良い。なお、扉体は保護ケース２１の側壁に設けるのでなく、保護ケース２１の上面に設けるようにしても良い。
【００２８】
取着壁２２の内側には取着壁２２と同じ大きさの内側壁２３が設けられ、ガスボンベ１０とガス給湯器３０との間は二重の側壁によって仕切られている。これにより、ガス給湯器３０が発する熱をできるだけガスボンベ１０に伝わりにくくすることができ、保護ケース２０自体を大きくしなくてもガス給湯器３０の熱をガスボンベ１０に伝わりにくくして、安全性の向上を図ることができる。
【００２９】
取着壁２２には上下方向に適宜離間して横長なスリット状の引掛スリット２２ａ、２２ａが形成されている。その引掛スリット２２ａ、２２ａはガス給湯器３０を掛止するためのものである。
【００３０】
取着壁２２の下側の引掛スリット２２ａよりやや下方へ寄った位置にはやや縦長な長孔が形成され、かつ、長孔に対応した内側壁２３の部位にも同様の位置に同様の大きさのやや縦長な長孔が形成されており、これら長孔はガス給湯器３０のガス供給口３１が挿通される挿通孔２４となっている。
【００３１】
また、取着壁２２の上記挿通孔２４が形成された位置は、後述するように、ガス給湯器３０が取着壁２２に取り付けられたときに、その背面に設けられたガス供給口３１が対向する位置となっている。
【００３２】
なお、この実施例１にあっては取着壁２２と内側壁２３とを設けることにより二重の側壁としたが、本発明は取着壁２２を断熱性の良好な材質のもので形成したり、取着壁２２の内側に断熱材を貼着するようにしても良い。また、ガスボンベ１０自体を周囲の温度に影響を受けないものとすれば、保護ケース２０自体に耐熱性を持たせて安全性の向上を図ることができる。
【００３３】
また、保護ケース２０内には、その底板にガスボンベ１０を載置したときにガスボンベ１０を固定する固定手段を設けることが好ましい。これはガス給湯装置１を持ち運ぶときにガスボンベ１０が移動してしまうことを防止するためである。
【００３４】
ガス給湯器３０は、全体として奥行き方向に扁平な直方体形状を呈し、その背面にガス供給口３１が突出するように設けられ、また、その下面に給水口３２及び給湯口３３が設けられている。
【００３５】
ガス給湯器３０のガス供給口３１の突出量は上記取着壁２２と内側壁２３とを貫通できる長さに形成されており、ガス給湯器３０を取着壁２２に取り付けたときに、ガス供給口３１の先端が内側壁２３を貫通して保護ケース２０内に突出するようになっている。
【００３６】
また、ガス給湯器３０の背面には上下方向に適宜離間した位置に断面Ｌ字状をしたフック３４、３４がそれぞれ設けられており、これらフック３４、３４が形成された位置は保護ケース２０の取着壁２２に形成された引掛スリット２２ａ、２２ａに対応する位置となっている。
【００３７】
これにより、ガス給湯器３０のフック３４、３４を保護ケース２０の取着壁２２に形成された引掛スリット２２ａ、２２ａに引っ掛けることにより、ガス給湯器３０を保護ケース２０に簡単に取着することができる。なお、ガス給湯器３０を保護ケース２０に取着するときは、先ず、ガス給湯器３０のガス供給口３１を保護ケース２０に形成した挿通孔２４に通し、その後、フック３４、３４を引掛スリット２２ａ、２２ａに挿入してから、ガス給湯器３０をやや下方へ落とすことにより、フック３４、３４を引掛スリット２２ａ、２２ａの縁部に引っ掛けることができる。なお、ガス給湯器３０を取付壁２２に取り付けた後、ガス給湯器３０を取付壁２２に固定することが好ましい。
【００３８】
ガス供給管４０は、たとえばゴムホース管のようなフレキシブルな管から成り、その一端がガス給湯器３０のガス供給口３１に接続され、また、その他端がガスボンベ１０のバルブに接続される。
【００３９】
給水管５０は、たとえばゴムホース、蛇腹管などのフレキシブル管が用いられ、その一端がガス給湯器３０の給水口３２に接続され、その他端は、図示しない上水道又は貯水タンクなどの蛇口に接続される。
【００４０】
給湯管６０も同様に、ゴムホース、蛇腹管などのフレキシブル管が用いられ、その一端がガス給湯器３０の給湯口３３に接続され、その他端は、給湯サービスを受ける図示しない場所まで導かれる。
【００４１】
このように、給水管５０及び給湯管６０をフレキシブル管を用いたので、上水道又は貯水タンクなどの蛇口まで或いは給湯を提供しようとする場所までの配管が容易であり、また、ガス給湯装置１を設置した後、これを多少移動させることもでき、現場の状況に合わせたセッティングを可能にする。
【００４２】
そして、このようなガス給湯装置１は、給湯サービスを受けようとする場所まで持ち運び、ガス給湯器３０とガスタンク１０とのガス供給管４０による接続、ガス給湯器３０の給水口３２と蛇口（図示は省略する。）との給水管５０による接続、及びガス給湯器３０の給湯口３３への給湯管６０の接続を行った後、使用可能となる。なお、ガス給湯装置１を持ち運ぶ前に、ガス供給管４０の配管、ガス給湯器３０の給水口３２への給水管５０の配管、及びガス給湯器３０の給湯口３３への給湯管６０の配管を行っておいても良い。
【００４３】
なお図示は省略したが、保護ケース２０を台車に一体的に載置したり、保護ケース２０に車輪を設けたりすることにより、ガス給湯装置１の持ち運びをさらに容易に行うことができる。
【００４４】
しかして、この実施例１に係るガス給湯装置１によれば、保護ケース２０内にガスボンベ１０を収納し、保護ケース２０にガス給湯器３０を取着したので、これらを一体として持ち運ぶことが可能となり、緊急時、あるいは仮設的にこれを容易に用いることができる。
【００４５】
また、ガスボンベ１０とガス給湯器３０とを接続するガス供給管４０が保護ケース２０から露出しないため、ガス給湯装置１を持ち運ぶ際、これが何かに衝突してしまっても、ガス供給管４０が破損することはなく、ガス漏れ事故を起こす危険をなくすことができる。
【００４６】
さらに、ガスボンベ１０とガス給湯器３０との間には取着壁２２と内側壁２３とが存在し二重構造の側壁となっているため、ガス給湯器３０が発する熱をできるだけガスボンベ１０に伝わりにくくすることができ、安全性の向上を図ることができる。
【００４７】
なお、図示は省略したが、保護ケース２０内にガス漏れ検知器を設け、また、ガスボンベ１０とガス給湯器３０との間にガス遮断器を設けることにより、ガス漏れを検出したときに、自動的にガスの供給を停止させることで、より安全性を向上させることができる。また、ガス給湯器３０、３０Ａへの給水量を検出し、所定量以下の場合にはガスの供給を停止させるようにしても良い。さらに、震動センサをガス給水器３０、３０Ａに設け、所定の振動数以上になったら、ガス供給を停止するようにしても良い。
【００４８】
このような実施例１に係るガス給湯装置１は、たとえば、今までガス給湯器を使用したユーザーがガス給湯器を電気温水器に取り替えようとする場合においても有用に使用することができる。この例を図５及び図６を用いて説明する。
【００４９】
ガス給湯器１００から電気給湯器２００への取り替えには、先ず、実施例１に係るガス給湯器１を、取り外すガス給湯器１００の近傍に持ち運び設置する。なお、ガス給湯装置１のガス給湯器３０とガスボンベ１０とはあらかじめガス供給管４０で接続しておくことが好ましい。
【００５０】
次に、既設のガス給湯器１００に接続されている給水管１０１及び給湯管１０２を外しす。なお、この場合、次に設置する電気給湯器２００との配管をし易くするため、給水管１０１又は給湯管１０２を適宜切断しておくことが好ましい。
【００５１】
続いて、ガス給湯装置１のガス給湯器３０の給水口３２及び給湯口３３に接続された給水管５０及び給湯管６０を上記給水管１０１及び給湯管１０２にそれぞれ接続する。なお、この場合、ガス給湯器３０側に接続された給水管５０及び給湯管６０の先端部を既設の給水管１０１及び給湯管１０２に接続しやすいようにアダプター等の接続具を取着しておくとその取付を簡便にすることができる。
【００５２】
以上で、ガス給湯装置１のセッティングが完了し、ガスボンベ１０のバルブを開放し、ガス給湯器３０にガスを供給するとともに、給水管５０からガス給湯器３０に給水することにより、給湯を行うことができる。
【００５３】
これにより、ガス給湯器１００から電気温水器２００への取り替え期間中であっても給湯サービスを途絶えることなく可能にすることができる。特に、既設のガス給湯器１００が故障したことを機に電気温水器２００への取り替えを行う場合に有効である。
【００５４】
なお、電気給湯器２００の設置には上述したように、コンクリートなどの基礎工事を行い、コンクリートの硬化後、コンクリートの上に電気給湯器２００を載置する。そして、既設の給水管１０１及び給湯管１０２からガス給湯装置１の給水管５０及び給湯管６０を外して、電気給湯器２００に既設の給水管１０１及び給湯管１０２をそれぞれ接続する。これにより、電気給湯器２００のセッティングが完了する。
【実施例２】
【００５５】
次に、本発明の実施例２について図７及び図８を参考にして説明する。この実施例２が上記実施例１と相違する点は、ガス給湯器に関し、ガス供給口、給水口、給湯口がいずれも本体の下面に設けられた一般的なガス給湯器を用いた点である。したがって、実施例２の説明にあたっては、このガス給湯器について主に説明し、実施例１と同様な部分については、同じ符号を付すことによりその説明を省略する。
【００５６】
実施例２に係るガス給湯装置１Ａのガス給湯器３０Ａは、全体として奥行き方向に扁平な直方体形状を呈し、その下面にガス供給口３１Ａ、給水口３２及び給湯口３３が併設するように設けられている。このようなガス給湯器３０Ａはいわゆる「壁掛型ガス給湯器」と称されるもので、屋内、屋外いずれのタイプもガス供給口３１Ａ、給水口３２、給湯口３３が本体の下面に設けられている。
【００５７】
そしてこのようなガス給湯器３０Ａは、保護ケース２０の取着壁２２に上記実施例１と同様にフック３４、３４及び引掛スリット２２ａ、２２ａにより取り付けられる。
【００５８】
ガス供給管４０を挿通するための保護ケース２０の挿通孔２４Ａは、取り付けられた状態のガス給湯器３０Ａよりも下方の位置に形成されており、挿通孔２４Ａの形状は円形に形成されている。また、この挿通孔２４Ａは後述する保護カバー７０でガス給湯器３０Ａの下部を覆った際にその中に位置するようになっている。
【００５９】
そして、保護ケース２０内に収納されたガスボンベ１０とガス給湯器３０Ａとを接続するガス供給管４０Ａは、その一端がガスボンベ１０に接続され、他端は上記挿通孔２４Ａを通して保護ケース２０の外に出された後、ガス給湯器３０Ａのガス供給口３１Ａに接続される。したがって、この状態では、ガス供給管４０Ａは保護ケース２０の外側に露出した状態となっている。
【００６０】
ガス給湯器３０Ａの下部には、ガス供給口４０Ａ、給水口５０、給湯口６０を覆う保護カバー７０が設けられている。保護カバー７０はガス給湯器３０Ａの下部に回動自在に支持するように設けても良いし、ガス給湯器３０Ａとは別体のものを着脱自在に取り付けるようにしても良い。
【００６１】
そして、保護カバー７０でガス供給口４０Ａ、給水口５０、給湯口６０を覆うことにより、これらガス供給口４０Ａ、給水口５０、給湯口６０は露出することなく、ガス給湯装置１Ａを持ち運ぶ際に、何かに衝突してしまってもガス供給管４０Ａが破損することはなく、ガス漏れ事故を起こす危険性はない。
【００６２】
このように、実施例２に係るガス給湯装置１Ａによれば、本体の背面にガス供給口が設けられた特殊なガス給湯器でなく、一般的に普及している壁掛け型のガス給湯器３０Ａを用いることができ、低コストでポータブルなガス給湯装置１Ａを提供することができる。
【００６３】
なお、ガス給湯装置１、１Ａを使用する態様としては、上記実施例１、２、３で説明したようなガス給湯器から電気給湯器への取り替えに限らず、既設のガス給湯器が故障し、新たなガス給湯器を購入する際に、希望のガス給湯器が在庫切れですぐには設置できない場合などにも本発明ガス給湯装置１、１Ａを用いることが有効である。
【００６４】
また、本発明ガス給湯装置１、１Ａは給湯機器の取り替えだけでなく、災害地における給湯サービス、アウトドアにおける給湯サービスなどに用いることが考えられる。
【００６５】
また、上記実施例１〜実施例２で説明したガス給湯装置１、１Ａに、その給水管５０及び／又は給湯口６０にポンプを接続しても良い。給水管５０にポンプを接続した場合は、たとえば貯水タンクから給水する場合など水圧が少ない場合に有効である。また、給湯管６０にポンプを接続した場合は、たとえば、給湯する場所がガス給湯装置１、１Ａから遠い場合或いは高所の場合などに有効である。
【００６６】
また、給湯管６０の先端部にあらかじめ蛇口を備えることにより、災害地における給湯サービス、アウトドアなどにおける給湯サービスなどにおいて有効である。
【産業上の利用可能性】
【００６７】
本発明ガス給湯装置は、給水設備さえあれば給湯することができるので、災害地、アウトドアなどの用途にも適用することができる。
【図面の簡単な説明】
【００６８】
【図１】図２乃至図４とともに実施例１に係るガス給湯装置の全体構成を示し、ガス給湯器をボンベ保護ケースに取り付ける前の状態を示す概略斜視図である。
【図２】ガス給湯装置の概略正面図である。
【図３】ガス給湯装置の概略側面図である。
【図４】ガス給湯装置の概略平面図である。
【図５】既存のガス給湯器から実施例１にかかるガス給湯装置に切り替えた状態を示す概略図である。
【図６】実施例１にかかるガス給湯装置から電気給湯器に切り替えた状態を示す概略図である。
【図７】図８とともに実施例２に係るガス給湯装置の全体構成を示し、ガス給湯装置の概略側面図である。
【図８】ガス給湯装置の概略正面図である。
【符号の説明】
【００６９】
１  ガス給湯装置
１０  ガスボンベ
２０  ボンベ保護ケース
２１  扉体
２２  取着壁
２２ａ  引掛スリット
２３  内側壁
２４  挿通孔
３０  ガス給湯器
３１  ガス供給口
３２  給水口
３３  給湯口
３４  フック
４０  ガス供給管
５０  給水管
６０  給湯管
１００  ガス給湯器
２００  電気給湯器
１０１  給水管
１０２  給湯管
１Ａ  ガス給湯装置
３０Ａ  ガス給湯器
３１Ａ  ガス供給口
４０Ａ  ガス供給管
７０  保護カバー
【図１】
2005326049.tif 000003
【図２】
2005326049.tif 000004
【図３】
2005326049.tif 000005
【図４】
2005326049.tif 000006
【図５】
2005326049.tif 000007
【図６】
2005326049.tif 000008
【図７】
2005326049.tif 000009
【図８】
2005326049.tif 000010